(57)【要約】【課題】  葉書本体片に記入した個人情報等を隠蔽用紙片で覆うように貼着することにより、記入内容を隠蔽することができるとともに、郵送途上における取扱時においても、隠蔽用紙片が葉書本体片から剥離してしまうおそれがなく、郵送された葉書が受取人に渡る前に、その葉書に記入された情報が第三者に開封され盗み見された場合、その事実が残り確認可能であり、記入内容の秘密保持を確実に行える隠蔽葉書を提供することである。【解決手段】  折目線を介して、葉書本体片と隠蔽用紙片が連接され、隠蔽用紙片上に、剥離剤層、接着剤層を介して、上面に透明な粘着剤層を有する透明性シートと、剥離紙とが順次重ねられた葉書において、隠蔽用紙片には端縁から所定巾の開封用ミシン目が形成されると共に、隠蔽用紙片の端縁側のそれぞれの部分に強接着部を設けて透明性シートの端縁と直接接着されていることを特徴とする隠蔽葉書である。【選択図】        図１
2007301735.tif 000002
【特許請求の範囲】
【請求項１】
基紙の略中央に設けられた折目線を介して、葉書本体片と隠蔽用紙片とが折り曲げ可能に連接され、前記隠蔽用紙片上に、前記折目線にて二つ折りされ内側となる面に剥離剤層が設けられ、接着剤層を介して、上面に透明な粘着剤層を有する透明性シートと、剥離紙とが順次重ねられた葉書において、前記隠蔽用紙片には前記折目線と対向する端縁から所定巾だけ前記折目線側に寄った位置に前記端縁に沿って、開封用ミシン目が形成されると共に、前記隠蔽用紙片の前記折目線側及び前記折目線と対向する端縁側の前記透明性シートの端縁と対向するそれぞれの部分に剥離剤層がない強接着部を設けて前記透明性シートの端縁と直接接着されていることを特徴とする隠蔽葉書。
【請求項２】
前記隠蔽用紙片に形成された前記開封用ミシン目の下端縁に切欠きが形成されたことを特徴とする請求項１記載の隠蔽葉書。
【請求項３】
前記剥離剤層に着色したことを特徴とする請求項１又は２記載の隠蔽葉書。
【発明の詳細な説明】
【技術分野】
【０００１】
本発明は、記載された内容の秘密保持を確実に行うことができる隠蔽葉書に関し、特に、郵送された葉書が受取人に渡る前に、その葉書に記入された情報が第三者に開封され盗み見された場合、その事実が残り確認可能であり、また第三者に開封されることを未然に防ぐことが可能な隠蔽葉書に関するものである。
【背景技術】
【０００２】
従来、郵送された葉書に記載された内容が、受取人に渡る前の段階で、第三者に盗み見られないように工夫された隠蔽葉書が種々開発され、既に使用されている。これらの隠蔽葉書については、例えば、シート基材の略中央に、第１の基材部と第２の基材部との区分けする折曲予定線が設けられ、第１の基材部に記入欄が設けられ、第２の基材部に剥離層、透明接着剤層、透明基材層、透明性粘着剤層及び剥離紙が順に積層された隠蔽ラベルの構造を有するメールオーダー帳票が知られている（例えば、特許文献１参照）。
【０００３】
しかしながら、上記のメールオーダー帳票（葉書）は、開封後は透明接着剤層は再接着性がないために郵送された葉書が受取人に渡る前に、その葉書に記入された情報が第三者に開封され盗み見された場合、その事実が判る構造となっているが、郵送途上に誤って開封してしまうという問題がある。特に開封時に受取人が開封しやすいように貼り合わされた第１基材部と第２基材部との端部をずらした構成のものは誤って開封されやすい。
【０００４】
また、同じ大きさの葉書紙片と隠蔽紙片が折り曲げ可能に連接され、葉書紙片の内面には所定事項を記入する記入欄が設けられ、折目線と対向する端縁に沿って所定巾で接着剤層が形成され接着剤層を覆って離型紙が積層され、隠蔽紙片の内面には弱粘着剤層が形成され、弱粘着剤層を覆って離型紙が貼着され、隠蔽紙片の折目線と対向する端縁に沿って接着剤層の巾だけ内側に寄った位置にミシン目が形成された構成の隠蔽葉書も開示されている（例えば、特許文献２参照）。
【０００５】
上記の隠蔽葉書は、隠蔽紙片と葉書紙片の間の中央部が弱粘着剤層により剥離可能に接着されるとともに、隠蔽紙片の折目線と対向する端縁とミシン目との間が接着剤層により剥離不能に接着されるので、葉書の郵送途上での取り扱い時に誤って隠蔽紙片が剥離することがなくなり、また、葉書の受取人側では、ミシン目に沿って隠蔽紙片を切り取って隠蔽紙片を剥離させ、記入欄に記入された内容を見ることができる。しかしながら、開封後は、弱粘着剤層は再接着が可能であり、郵送途上で第三者が隠蔽紙片を剥離して内容を盗み見し、その後、隠蔽用紙片を再接着すると受取人は、開封されたことに気がつかないという問題がある。
【特許文献１】特開２００４−１０２１８８号公報
【特許文献２】特開２００５−２６２４４４号公報
【発明の開示】
【発明が解決しようとする課題】
【０００６】
本発明は、上記のような従来の問題点に鑑み、葉書本体片に記入した個人情報等を隠蔽用紙片で覆うように貼着することにより、記入内容を隠蔽することができるとともに、記入内容を隠蔽した葉書を投函し、郵送途上における取扱時においても、隠蔽用紙片が葉書本体片から剥離してしまうおそれがなく、郵送された葉書が受取人に渡る前に、その葉書に記入された情報が第三者に開封され盗み見された場合、その事実が残り確認可能であり、また第三者に開封されることを未然に防ぐことができ、記入内容の秘密保持を確実に行うことができる隠蔽葉書を提供することである。
【課題を解決するための手段】
【０００７】
上記課題を解決するために、請求項１記載の本発明は、基紙の略中央に設けられた折目線を介して、葉書本体片と隠蔽用紙片とが折り曲げ可能に連接され、前記隠蔽用紙片上に、前記折目線にて二つ折りされ内側となる面に剥離剤層が設けられ、接着剤層を介して、上面に透明な粘着剤層を有する透明性シートと、剥離紙とが順次重ねられた葉書において、前記隠蔽用紙片には前記折目線と対向する端縁から所定巾だけ前記折目線側に寄った位置に前記端縁に沿って、開封用ミシン目が形成されると共に、前記隠蔽用紙片の前記折目線側及び前記折目線と対向する端縁側の前記透明性シートの端縁と対向するそれぞれの部分に剥離剤層がない強接着部を設けて前記透明性シートの端縁と直接接着されていることを特徴とする隠蔽葉書である。
【０００８】
請求項２記載の本発明は、請求項１記載の隠蔽葉書において、前記隠蔽用紙片に形成された前記開封用ミシン目の下端縁に切欠きが形成されたことを特徴とするものである。
【０００９】
請求項３記載の本発明は、請求項１又は２記載の隠蔽葉書において、前記剥離剤層に着色したことを特徴とするものである。
【発明の効果】
【００１０】
本発明の隠蔽葉書は、葉書本体片に記入した内容を剥離紙を剥離し、透明な粘着剤層を露出させて折目線で折り曲げて葉書本体片に重合して貼付することにより、葉書本体片に記入した内容を隠蔽でき、その後開封すると剥離剤層と透明接着剤層との界面で剥離されて再接着性がない構成のために隠蔽葉書が受取人に渡る前に第三者に記載内容を盗み見された場合、その事実が判るものである。また、隠蔽用紙片には折目線と対向する端縁から所定巾だけ折目線側に寄った位置に端縁に沿って、開封用ミシン目が形成されると共に、隠蔽用紙片の折目線側及び折目線と対向する端縁側の透明性シートの端縁と対向するそれぞれの部分に剥離剤層がない強接着部を設けて透明性シートの端縁と直接接着されているために、剥離紙を剥離するときに透明性シートが基紙から誤って剥離されることを防ぐと共に、郵送途上で誤って開封されることが防止できる。さらに、受取人は開封用ミシン目により、容易に開封できるという効果を奏するものである。
【００１１】
請求項２記載の本発明では、隠蔽用紙片に形成された開封用ミシン目の下端縁に切欠きが形成されており、受取人が、切欠きを開封口として開封が容易になるものである。
【００１２】
また、請求項３記載の本発明は、剥離剤層に着色することにより隠蔽用紙片の隠蔽性が増し、機密性の向上が図れるとともに、隠蔽用紙片の厚みを薄くできコストダウン及び廃棄物の減容化が図れるという効果を有する。
【発明を実施するための最良の形態】
【００１３】
以下図面を用いて、本発明の実施形態について説明する。
図１は本発明の隠蔽葉書の第一実施形態を示す斜視図、図２は本発明の第一実施形態を示す外側から見た平面図、図３は図１のＸ−Ｘ線断面図、図４は本発明の隠蔽葉書の第一実施形態の剥離紙の一部を剥離させた状態を示す断面図、図５は本発明の隠蔽葉書の第一実施形態で隠蔽用紙片を葉書本体片に接着させた状態を示す断面図、図６は本発明の第一実施形態で葉書の受取人が葉書を見開きにした状態を示す断面図、図７は本発明の第一実施形態で葉書の受取人が葉書を見開いた状態を説明するための斜視図、図８は本発明の第二実施形態を示す外側から見た平面図であり、図中の符号は１、１’は隠蔽葉書、２は基紙、３はミシン目、４は開封用ミシン目、１０は葉書本体片、１１は情報記入欄、１２は郵便番号欄、１３は宛名欄、２０は隠蔽用紙片、２１は透明性シート、２２は剥離紙、２４は剥離剤層、２５は接着剤層、２６は粘着剤層、２７ａ、２７ｂは強接着部、２８ａ、２８ｂは接着剤、２３はベタ印刷や地紋印刷等、２９は端部、３０は切欠きをそれぞれ示す。
【００１４】
図１に示すように本発明の隠蔽葉書１は、基紙２の略中央に設けられたミシン目３（折目線に対応）を介して、葉書本体片１０と隠蔽用紙片２０とが折り曲げ可能に連接され、隠蔽用紙片２０にはミシン目３と対向する端縁から所定巾だけミシン目３側に寄った位置に端縁に沿って、開封用ミシン目４が形成されている。
【００１５】
葉書本体片１０の上面には、情報記入欄１１が設けられ、隠蔽用紙片２０の上面（ミシン目３にて二つ折りされ内側となる面）には、透明性シート２１と剥離紙２２とが順次重ねられ、剥離紙２２の表面には隠蔽葉書１の使い方の説明や剥離紙２２の剥離箇所の指示等が印刷されている。
【００１６】
図２は本発明の第一実施形態を示す外側から見た平面図であり、葉書本体片１０の外側面には、郵便番号欄１２や宛名欄１３等が印刷されており、隠蔽用紙片２０の外側面には葉書本体片１０の情報記入欄１１に記載された情報が透けて第三者に読み取られないようにベタ印刷や地紋印刷等２３が施されている。
【００１７】
図３を用いて、本発明の隠蔽葉書の構成を詳しく説明する。図３に示すように、隠蔽用紙片２０の上面には、剥離剤層２４が設けられ、さらに、ミシン目３側及びミシン目３と対向する端縁側の透明性シート２１の端縁と対向するそれぞれの部分に剥離剤層２４がない強接着部２７ａ、２７ｂが設けられ、接着剤層２５及び接着剤２８ａ、２８ｂを介して、上面に透明な粘着剤層２６を有する透明性シート２１と、剥離紙２２とが順次重ねられている。隠蔽用紙片２０に設けられた強接着部２７ａ、２７ｂと透明性シート２１の端縁は直接、接着剤２８ａ、２８ｂで剥離不能に接着されている。ミシン目３側に強接着部２７ａを設けることにより、隠蔽葉書１の使用者が、剥離紙２２を剥離する際に、剥離紙２２のミシン目３に近接した隅部から指で剥離紙２２を剥離したときに剥離紙２２のみが容易に剥離でき、透明性シート２１が基紙２から誤って剥離されないように保護されている。また、ミシン目３と対向する端縁側に強接着部２７ｂを設けることにより、隠蔽葉書１の郵送途上に誤って開封されることが防止できるものである。
【００１８】
次に、使用する材料について説明する。隠蔽用紙片２０の上面に設けられる剥離剤層２４はウレタンアクリレート、アクリレート等を主成分とするＵＶインキを用いて、パターン状にオフセット印刷、活版印刷等により形成され、剥離性は前記ＵＶインキにシリコン系の材料を適宜に添加してコントロールをしてもよい。また、剥離剤層２４に用いるＵＶインキに墨、藍、セピア等の濃色あるいはそれらの混色で着色することができる。そうすることにより隠蔽用紙片２０の隠蔽性が増し、機密性の向上が図れるとともに、隠蔽用紙片の厚みを薄くできコストダウン及び廃棄物の減容化が図れる。接着剤層２５には、酢酸ビニル系やアクリル系やあるいはその混合系や合成ゴム系等の合成樹脂エマルジョンタイプなどの接着剤を用いることができ、例えば、フレキソ版などでパターン状に塗布される。強接着部２７ａ、２７ｂと透明性シート２１の端縁を直接接着させる接着剤２８ａ、２８ｂには、接着剤層２５に用いる接着剤と同様のエマルジョンタイプ接着剤が使用でき、スプレーノズルより線状にスプレーコートされる。透明性シート２１の上面に設けられる透明な粘着剤層２６に用いる粘着剤は、アクリル系、ゴム系等が使用され、エマルジョンタイプ、溶剤タイプいずれでもよい。該透明性シート２１の基材にはグラシン紙等の透明性のある紙やプラスチックフィルムや不織布が用いられるが、廃棄性、分別回収性の面からグラシン紙等の紙基材が望ましい。
【００１９】
次に、図４〜７を用いて本発明に係る隠蔽葉書を使用する手順について説明する。まず、隠蔽葉書１の利用者は、葉書本体片１０の上面に設けられた情報記入欄１１（図１参照）に個人情報等の必要事項を記入する。次に、図４に示すように剥離紙２２に印刷された剥離箇所の指示に従い、隅部を指で摘み剥離紙２２を剥離し、粘着剤層２６を露出させる。この場合、上記の通り、強接着部２７ａにより透明性シート２１が基紙２から誤って剥離されないように保護させている。その後、ミシン目３にて隠蔽用紙片２０を折畳んで、図５に示すように、粘着剤層２６の面を葉書本体片１０の上面に設けられた情報記入欄１１に重ね合わせて接着することにより情報記入欄１１が隠蔽される。そして、単体葉書として投函すればよい。
【００２０】
投函された隠蔽葉書１は、隠蔽用紙片の端部に設けられた強接着部２７ｂと透明性シート２１の端部が接着剤２８ｂを介して剥離不能に接着されているために隠蔽葉書１の郵送途上で誤って透明性シート２１と隠蔽用紙片２０が剥離して開封され、情報記入欄１１が露出することを未然に防止でき、記入された内容の機密性を保持できるものである。
【００２１】
次に、図６、図７に示すように、この隠蔽葉書１を受取った受取人は、隠蔽用紙片２０の一端部を摘んで開封用ミシン目４に沿って切取りながら、隠蔽用紙片２０を剥離すると、隠蔽用紙片２０の端部２９は葉書本体片１０に接着されたまま残り、切取られた隠蔽用紙片２０は、剥離剤層２４と接着剤層２５との界面から剥離され、葉書本体片１０の情報記入欄１１に記載された内容を、透明性シート２１を透して視認できるものである。また、剥離剤層２４と接着剤層２５とは再接着性がないために、隠蔽葉書が受取人に渡る前に第三者に記載内容を盗み見された場合、その事実が判るものである。
【００２２】
次に、図８を用いて、本発明の第二実施形態について説明する。図８は本発明の第二実施形態を示す隠蔽葉書１’の外側から見た平面図であり、葉書本体片１０の外側面には、郵便番号欄１２や宛名欄１３等が印刷されており、隠蔽用紙片２０の外側面には、葉書本体片１０の情報記入欄１１に記載された情報が透けて第三者に読み取られないようにベタ印刷や地紋印刷等２３が施され、さらに隠蔽用紙片２０の端縁から所定巾だけミシン目３側に寄った位置に該端縁に沿って、開封用ミシン目４が形成され、開封用ミシン目４の下端縁に切欠き３０が形成されている。その他は第一実施形態と同様であり説明を省略する。このような構成にすることにより、隠蔽葉書１’の受取人は切欠き３０を開封口として隠蔽用紙片２０を容易に剥離し、開封することができる。
【産業上の利用可能性】
【００２３】
通信販売申込書、銀行口座振替依頼書等の親展通知情報を伴う通信媒体に利用できる。
【図面の簡単な説明】
【００２４】
【図１】本発明の隠蔽葉書の第一実施形態を示す斜視図である。
【図２】本発明の第一実施形態を示す外側から見た平面図である。
【図３】図１のＸ−Ｘ線断面図である。
【図４】本発明の隠蔽葉書の第一実施形態の剥離紙の一部を剥離させた状態を示す断面図である。
【図５】本発明の隠蔽葉書の第一実施形態で隠蔽用紙片を葉書本体片に接着させた状態を示す断面図である。
【図６】本発明の第一実施形態で葉書の受取人が葉書を見開きにした状態を示す断面図である。
【図７】本発明の第一実施形態で葉書の受取人が葉書を見開いた状態を説明するための斜視図である。
【図８】本発明の第二実施形態を示す外側から見た平面図である。
【符号の説明】
【００２５】
１、１’                              隠蔽葉書
２                                    基紙
３                                    ミシン目
４                                    開封用ミシン目
１０                                    葉書本体片
１１                                    情報記入欄
１２                                    郵便番号欄
１３                                    宛名欄
２０                                    隠蔽用紙片
２１                                    透明性シート
２２                                    剥離紙
２３                                    ベタ印刷や地紋印刷等
２４                                    剥離剤層
２５                                    接着剤層
２６                                    粘着剤層
２７ａ、２７ｂ                          強接着部
２８ａ、２８ｂ                          接着剤
２９                                    端部
３０                                    切欠き
【図１】
2007301735.tif 000003
【図２】
2007301735.tif 000004
【図３】
2007301735.tif 000005
【図４】
2007301735.tif 000006
【図５】
2007301735.tif 000007
【図６】
2007301735.tif 000008
【図７】
2007301735.tif 000009
【図８】
2007301735.tif 000010